(57)【特許請求の範囲】
【請求項１】
一方の側において光ファイバ(3)が接続され、他方の側において所定の局内光ファイバ(15)を切替接続可能に保持する複数の端子(11)を有する光配線盤(10)の配線データを構築する方法であって、
前記光ファイバ(3)は、光カプラー(4)及び光スイッチ(5)を介して可視レーザ光源(6)に選択的に接続され、前記可視レーザ光源(6)から放出された可視レーザ光は、前記光スイッチ(5)を制御する制御装置(7)の制御のもとで、指定された光ファイバ(3)に挿入され、当該光ファイバ(3)が接続されている光配線盤(10)の端子(11)に局内光ファイバ(15)が接続されていない場合当該端子(11)の蓋(12)を照明し、局内光ファイバ(15)が接続されている場合当該局内光ファイバ(15)を照明し、
ネットワークを介して前記制御装置(7)に接続されているデータ処理装置(8)は、配線データを記憶するメモリ、及び光配線盤(10)の端子(11)に接続されている局内光ファイバ(15)に装着した識別コード(16)を識別する識別コードリーダ(18)を有すると共に、当該識別コードリーダ(18)により読み取った識別コード(16)を前記メモリに保存し、
前記光配線盤(10)の配線データを構築するに際し、前記データ処理装置(8)からの指示により、前記制御装置(7)の制御のもとで、指定した光配線盤(10)の端子(11)に前記可視レーザ光源(6)からの可視レーザ光を挿入すると共に、当該指定した端子(11)の番号を前記メモリに保存し、指定された端子の蓋(12)が照明された場合当該端子(11)が未接続であることを前記メモリに登録し、前記局内光ファイバ(15)が照明された場合前記識別コードリーダ(18)により当該局内光ファイバ(15)の識別コード(16)を読み取り、当該端子(11)の番号と局内光ファイバ(15)の識別コード(16)による番号とを結合し、当該端子(11)に局内光ファイバ(15)が接続されていることを登録することを特徴とする光配線盤(10)の配線データ構築方法。
【請求項２】
一方の側において複数の光ファイバ(3)が接続され、他方の側において所定の局内光ファイバ(15)を切替接続可能に保持する複数の端子(11)を有する光配線盤(10)の配線データを構築する装置であって、
前記光ファイバ(3)に接続された光カプラー(4)と、可視レーザ光を放出する可視レーザ光源(6)と、前記光カプラー(4)と可視レーザ光源(6)との間に配置され、可視レーザ光源(6)から放出された可視レーザ光が挿入される光カプラー(4)を選択する光スイッチ(5)と、当該光スイッチ(5)及び可視レーザ光源(6)を制御する制御装置(7)と、ネットワークを介して前記制御装置(7)に接続され、当該制御装置(7)に対して識別すべき光配線盤(10)の端子(11)を指定する指示を行うデータ処理装置(8)と、当該データ処理装置(8)に接続され、光配線盤(10)の端子(11)に接続切替可能に接続されている局内光ファイバ(15)に設けた識別コード(16)を識別する識別コードリーダ(18)と、前記データ処理装置(8)に設けられ、当該光配線盤(10)の配線データを保存するメモリとを具え、
配線データを収集するに際し、前記データ処理装置(8)からの指示に基づき、前記可視レーザ光源(6)から放出された可視レーザ光を指定された端子(11)に挿入し、挿入された可視レーザ光により、当該端子(11)に局内光ファイバ(15)が接続されていない場合当該端子(11)の蓋(12)を照明し、当該端子(11)に局内光ファイバ(15)が接続されている場合当該局内光ファイバ(15)を照明し、
前記光配線盤(10)の配線データを構築するに際し、前記データ処理装置(8)からの指示により、前記制御装置(7)の制御のもとで、指定した光配線盤(10)の端子(11)に前記可視レーザ光源(6)からの可視レーザ光を挿入すると共に、当該指定した端子(11)の番号を前記メモリに保存し、指定された端子の蓋(12)が照明された場合当該端子(11)が未接続であることを前記メモリに登録し、前記局内光ファイバ(15)が照明された場合前記識別コードリーダ(18)により当該局内光ファイバ(15)の識別コード(16)を読み取り、当該端子(11)の番号と局内光ファイバ(15)の識別コード(16)による番号とを結合し、当該端子(11)に局内光ファイバ(15)が接続されていることを登録することを特徴とする光配線盤(10)の配線データ構築装置。
【発明の詳細な説明】
【０００１】
【発明の属する技術分野】
本発明は、光配線網のデータ構築方法及び装置に関し、詳細には、使用中の通信回線に影響を与えず、光配線盤の正確な配線データを構築する方法及び装置に関するものである。
【０００２】
【従来の技術】
従来から光伝送装置を設備する局内の光配線の管理には有効な方法がなく、特に配線替えが頻繁に発生する光配線盤の配線管理では、光配線盤端子の接続情報を紙に記録するか、又は接続されている光ファイバ心線に札を付けて接続情報を書込んで管理していた。また、光配線盤端子に接続された光ファイバ心線の管理では、被覆に番号を印刷する方法、番号を書込んだリングを装着する方法等が採用されている。しかし、これらの番号は光配線網内でユニークではないため、光配線網内に同一の番号を付された光ファイバ心線が複数存在することがあり、光ファイバ心線を特定できるものとはなっていなかった。
【０００３】
このため、光ファイバ心線にユニークな識別コードを付与し、これを管理する方法が提案されている（1998年電子情報通信学会総合大会Ｂ-10-45）。この方法では、識別コードを読取装置で読取り、計算機で解読して光ファイバの心線を識別する。光ファイバ心線に装着したユニークな識別コードの読取りとそれをキーとして付加情報を保存したデータベースとを結合するので、この方法は光配線の管理に有用である。また、光配線データベースを有する計算機を使用して、局内の光配線設備の管理運用を行う方法も提案されている（1996年電子情報通信ソサイエティ大会Ｂ-971）。光通信網の進展に伴い、光伝送装置及び光配線設備等を収容する局内の光配線網、光ファイバケーブル及び光配線盤等の輻輳化或いは高密度化が進行するので、今後の光通信網の規模拡大に向け、この方法は光配線の管理運用に有用である。
【０００４】
しかしながら、これらの従来の方法には以下のような問題点がある。先ず、紙に書いて管理する方法では、配線替えによるデータの書換え作業が今後の光配線網の進展に対応できない。また、光ファイバ心線に技術情報を書いた札を装着する方法では、光配線盤上での配線の輻輳化により、札が装着された光ファイバ心線を捜し出すのが困難になる。また、識別コードにより光ファイバ心線を管理する方法では、光ファイバ心線を特定するためには有効であるが、単独の運用では、光ファイバ心線と接続関係にある光配線盤端子の探査及びデータ入力を人手に頼らざるを得ないので、データの信頼性に欠ける。更に、光配線データベースと計算機とによる配線管理方法では、データベースの信頼性確保が重要な課題であるが、単独の運用では、データの人手による入力を回避できず、入力データのチェックに多大な労力を要する。
【０００５】
【発明が解決しようとする課題】
本発明の目的は、上述のような問題点に鑑み、頻繁に行われる光配線盤の配線替えに迅速に対応し、実態に合った正確な配線データの構築及び変更を行うことができる方法及び装置を提供することにある。
【０００６】
【課題を解決するための手段】
本発明の光配線盤の配線データ構築方法は、上記の目的を達成するため、一方の側において光ファイバが接続され、他方の側において所定の局内光ファイバを切替接続可能に保持する複数の端子を有する光配線盤の配線データを構築する方法であって、 前記光ファイバは、光カプラー及び光スイッチを介して可視レーザ光源に選択的に接続され、前記可視レーザ光源から放出された可視レーザ光は、前記光スイッチを制御する制御装置の制御のもとで、指定された光ファイバに挿入され、当該光ファイバが接続されている光配線盤の端子に局内光ファイバが接続されていない場合当該端子の蓋を照明し、局内光ファイバが接続されている場合当該局内光ファイバを照明し、ネットワークを介して前記制御装置に接続されているデータ処理装置は、配線データを記憶するメモリ、及び光配線盤の端子に接続されている局内光ファイバに装着した識別コードを識別する識別コードリーダを有すると共に、当該識別コードリーダにより読み取った識別コードを前記メモリに保存し、前記光配線盤の配線データを構築するに際し、前記データ処理装置からの指示により、前記制御装置の制御のもとで、指定した光配線盤の端子に前記可視レーザ光源からの可視レーザ光を挿入すると共に、当該指定した端子の番号を前記メモリに保存し、指定された端子の蓋が照明された場合当該端子が未接続であることを前記メモリに登録し、前記局内光ファイバが照明された場合前記識別コードリーダにより当該局内光ファイバの識別コードを読み取り、当該端子の番号と局内光ファイバの識別コードによる番号とを結合し、当該端子に局内光ファイバが接続されていることを登録することを特徴とする。
【０００７】
また、本発明の光配線盤の配線データ構築装置は、一方の側において複数の光ファイバが接続され、他方の側において所定の局内光ファイバを切替接続可能に保持する複数の端子を有する光配線盤の配線データを構築する装置であって、 前記光ファイバに接続された光カプラーと、可視レーザ光を放出する可視レーザ光源と、前記光カプラーと可視レーザ光源との間に配置され、可視レーザ光源から放出された可視レーザ光が挿入される光カプラーを選択する光スイッチと、当該光スイッチ及び可視レーザ光源を制御する制御装置と、ネットワークを介して前記制御装置に接続され、当該制御装置に対して識別すべき光配線盤の端子を指定する指示を行うデータ処理装置と、当該データ処理装置に接続され、光配線盤の端子に接続切替可能に接続されている局内光ファイバに設けた識別コードを識別する識別コードリーダと、前記データ処理装置に設けられ、当該光配線盤の配線データを保存するメモリとを具え、配線データを収集するに際し、前記データ処理装置からの指示に基づき、前記可視レーザ光源から放出された可視レーザ光を指定された端子に挿入し、挿入された可視レーザ光により、当該端子に局内光ファイバが接続されていない場合当該端子の蓋を照明し、当該端子に局内光ファイバが接続されている場合当該局内光ファイバを照明し、前記光配線盤の配線データを構築するに際し、前記データ処理装置からの指示により、前記制御装置の制御のもとで、指定した光配線盤の端子に前記可視レーザ光源からの可視レーザ光を挿入すると共に、当該指定した端子の番号を前記メモリに保存し、指定された端子の蓋が照明された場合当該端子が未接続であることを前記メモリに登録し、前記局内光ファイバが照明された場合前記識別コードリーダにより当該局内光ファイバの識別コードを読み取り、当該端子の番号と局内光ファイバの識別コードによる番号とを結合し、当該端子に局内光ファイバが接続されていることを登録することを特徴とする。
【０００８】
このような本発明によれば、指定した光配線盤の端子に可視レーザ光を挿入することにより、当該指定した端子の番号と局内光ファイバの識別コードによる番号とを結合し、メモリに登録する。この処理を光配線盤の端子毎に行うことにより、光配線盤の配線データを構築することができる。具体的には、データ処理装置が光配線盤の特定の端子に対して可視レーザ光を挿入するように指示すると、制御装置が光スイッチを制御して特定の端子に対して可視レーザ光を挿入する。局内光ファイバがその端子に接続されていない場合は、その端子が未接続であることを登録する。また、局内光ファイバがその端子に接続されている場合は、前記可視レーザ光により局内光ファイバが照明される。データ処理装置は、照明された局内光ファイバの識別コードを読み取り、端子の番号と局内光ファイバの識別コードによる番号とを結合し、その端子が接続されていることをメモリに登録する。このようにして、目的とする配線データを構築することができる。
【０００９】
【発明の実施の形態】
次に本発明の実施例を説明する。図１は本発明の光配線盤の配線データ構築装置の構成を説明する図である。図中、１は光ファイバケーブル、２は光伝送端局、３は光ファイバ、４は光カプラー、５は光スイッチ、６は可視レーザー光源、７は制御装置、８はデータ処理装置、10は光配線盤、11は光配線盤端子、12は光配線盤端子蓋、13は光配線盤端子蓋の表示部、14は光ファイバ心線の表示部、15は光ファイバ心線、16は識別コード、17は光コネクタ、18は識別コードリーダーである。
【００１０】
図２は本発明の光配線盤の配線データ構築方法の手順を示す処理フロー図である。次に図２を用いて図１の装置の動作を説明する。データ処理装置８から、ネットワーク回線で接続した制御装置７に、任意の光配線盤端子11を指定してそれに可視レーザー光を挿入するように指示する（ステップ21）。指示した光配線盤端子11の番号をメモリーに保存する（ステップ22）。光配線盤端子蓋の表示部13が光っている時は、この端子が未接続の状態であることをデータ処理装置８中のデータベースに登録する（ステップ24）。
【００１１】
ステップ23で光配線盤端子蓋の表示部13が光っておらず、光ファイバ心線15の被覆の表示部14が光っている時は（ステップ25）、識別コード16を識別コードリーダー18で読取り（ステップ27）、光ファイバ心線番号をデータ処理装置８中のメモリーに保存する（ステップ28）。次に、ステップ22とステップ28とで保存した光配線盤端子番号と光ファイバ心線番号とを結合し、両者が接続されていることをデータ処理装置８中のデータベースに登録する（ステップ29）。ステップ23及びステップ25で光配線盤端子蓋の表示部13も光ファイバ心線の被覆の表示部14も光っていない場合は、可視レーザー光の挿入が不調であり（ステップ26）、操作をやり直す。このような操作を光配線盤の各端子について順次繰り返して、配線データを構築する。
【００１２】
また、光配線盤の端子間で接続替えを行う場合には、元の端子に接続されている光ファイバ心線を表示させ、これを抜き取り、この端子の接続データを空き状態として登録し、接続先の端子を表示させ、抜き取った光ファイバ心線をこの端子に接続し、識別コードを読取り、この光ファイバ心線が接続先の端子に接続されていることをデータベースに登録する。
【００１３】
データ処理装置８が、この実施例で述べたように、操作手段、光ファイバ心線の識別コードの読取り機能、メモリー、データ処理機能及びデータベースを一括して具えておれば好都合である。また、操作手段として、データ処理装置８とネットワークで接続できる携帯端末を使用することも可能である。この場合、ネットワークとして無線を使用すれば、更に機動性を備えることができる。
【００１４】
【発明の効果】
以上説明したように、本発明によれば、光通信網の進展に伴って必要とされてきた緻密な光配線の管理を容易に行うことができる。特に、接続替えが日常的に発生する光配線盤において、接続替えの運用と同時に配線データを更新して実態に合った正確な配線データを確保することができるので、光配線網のデータベースの信頼性を確保することができ、本発明が光通信網の進展に寄与するところは大である。
【図面の簡単な説明】
【図１】本発明の光配線盤の配線データ構築装置の構成を説明する図である。
【図２】本発明の光配線盤の配線データ構築方法の手順を示す処理フロー図である。
【符号の説明】
１  光ファイバケーブル
２  光伝送端局
３  光ファイバ
４  光カプラー
５  光スイッチ
６  可視レーザー光源
７  制御装置
８  データ処理装置
１０  光配線盤
１１  光配線盤端子
１２  光配線盤端子蓋
１３  光配線盤端子蓋の表示部
１４  光ファイバ心線の表示部
１５  光ファイバ心線
１６  識別コード
１７  光コネクタ
１８  識別コードリーダー
【図１】
0003663055.tif 000002
【図２】
0003663055.tif 000003